(57)【要約】【課題】可撓線状部材をワイヤハーネスに容易にかつ確実に外付け保持できる保持力や作業性に優れた線状部材の外付保持具を提供する。【解決手段】バンド状結束部材２１による電線結束時にワイヤハーネスに１０よって一面側で支持される保持固定部３１と、保持固定部３１に支持された固定側の基端部３２ａおよびロック爪３６が設けられた固定側の先端部３２ｂを有し、可撓線状部材４０を収納可能な凹部３８を形成する固定アーム部３２と、保持固定部３１にヒンジ結合された可動側の基端部３３ａおよびロック爪３７が設けられた可動側の先端部３３ｂを有する開閉動作可能な可動アーム部３３と、を備え、固定側の先端部３２ｂと可動側の先端部３３ｂとが、雌雄のロック爪３６、３７同士の係合面ｅ１と、閉動作方向に突き当たる突当て面ｅ２とを有し、凹部３８の閉止時に両先端部３２ｂ、３３ｂが可動アーム部３３の開閉動作方向の双方に突き当たる状態に係合する。【選択図】図２
2017147859.tif 000002
【特許請求の範囲】
【請求項１】
ワイヤハーネスに外装されるバンド部材が挿通されるバンド挿通孔を有し、前記バンド部材による電線の結束時に前記ワイヤハーネスによって一面側で支持される保持固定部と、
前記保持固定部に一体に支持された固定側の基端部および雌雄いずれか一方のロック爪が設けられた固定側の先端部を有し、前記保持固定部の他面側に可撓線状部材を収納可能な凹部を形成する固定アーム部と、
前記保持固定部にヒンジ結合された可動側の基端部および雌雄いずれか他方のロック爪が設けられた可動側の先端部を有し、該可動側の先端部を前記固定側の先端部に係止させたとき前記凹部を閉止する開閉動作可能な可動アーム部と、を備え、
前記固定側の先端部および前記可動側の先端部が、前記可動アーム部の開動作方向に突き当たる前記雌雄のロック爪同士の係合面と前記可動アーム部の閉動作方向に突き当たる突当て面とを有し、前記可動側の先端部を前記固定側の先端部に係止させたときに両先端部が前記可動アーム部の開閉動作方向の双方に突き当たる状態に係合することを特徴とする線状部材の外付保持具。
【請求項２】
前記可動側の先端部は、前記保持固定部の他面に対し略垂直な方向であって前記可動アーム部により前記凹部を閉止して形成される線状部材収納孔の径方向における外方側から前記固定側の先端部に凹凸嵌合するとともに、前記固定側の先端部に対して前記可動アーム部の開閉動作方向の双方に突き当たる状態に保持されることを特徴とする請求項１に記載の線状部材の外付保持具。
【請求項３】
前記固定アーム部および前記可動アーム部のうち少なくとも前記固定アーム部が、前記保持固定部の他面と一体に略コの字形の屈曲面を形成するとともに、該屈曲面を含む前記凹部の内奥側に前記保持固定部の他面に対し略垂直な方向に対向する複数の略三角リブを有していることを特徴とする請求項１または請求項２に記載の線状部材の外付保持具。
【発明の詳細な説明】
【技術分野】
【０００１】
本発明は、線状部材の外付保持具に関し、特にバンド部材を介してワイヤハーネスに支持され、ワイヤハーネスに沿って配置される可撓線状部材をワイヤハーネスに対し外付け状態に保持する線状部材の外付保持具に関する。
【背景技術】
【０００２】
自動車等の車両においては、電線を主体とするワイヤハーネスに沿って、液送用のチューブ等のような可撓線状部材、すなわち、任意の方向の湾曲が可能な線状部材を配置し、その可撓線状部材を外付保持具によりワイヤハーネスに外付け保持させることがある。
【０００３】
従来のこの種の線状部材の外付保持具としては、例えば図６に示すようにワイヤハーネスＷ／Ｈを束ねるベルトクリップのベルト部１に装着されるものがあり、この外付け保持具は、ウォッシャ液用のチューブＴを保持する凹状の保持部３を有するとともに、ベルトクリップのベルト部１の任意の位置に係止される係止爪４付の台座部５を有するチューブ保持部材として構成されている（例えば、特許文献１参照）。
【先行技術文献】
【特許文献】
【０００４】
【特許文献１】特開平８−１７８１３４号公報
【発明の概要】
【発明が解決しようとする課題】
【０００５】
しかしながら、前述の従来の線状部材の外付保持具にあっては、ワイヤハーネス配索時等にワイヤハーネスＷ／Ｈの姿勢変化に伴って保持部３に保持されたチューブＴに比較的大きな外力が加わると、チューブＴが保持部３から外れてしまう可能性があった。また、チューブＴの外れを防止するためにチューブＴをワイヤハーネスにテープ巻き等により固定すると、その固定作業のために余計な手間がかかるばかりか、ワイヤハーネス配索時等に比較的柔軟なチューブＴにねじれや屈曲が生じる可能性もあった。
【０００６】
そのため、従来の線状部材の外付保持具では、例えば車載の受信装置や通信装置に給電を行なうフィーダ線のように比較的可撓性の低い可撓線状部材をも外付保持具によってワイヤハーネスに外付け可能にしたい場合に、保持力や作業性の面で難点があった。
【０００７】
本発明は、かかる従来の未解決の課題を解決すべくなされたものであり、可撓線状部材をワイヤハーネスに容易にかつ確実に外付け保持できる保持力や作業性に優れた線状部材の外付保持具を提供することを目的とする。
【課題を解決するための手段】
【０００８】
本発明に係る線状部材の外付保持具は、上記目的達成のため、ワイヤハーネスに外装されるバンド部材が挿通されるバンド挿通孔を有し、前記バンド部材による電線の結束時に前記ワイヤハーネスによって一面側で支持される保持固定部と、前記保持固定部に一体に支持された固定側の基端部および雌雄いずれか一方のロック爪が設けられた固定側の先端部を有し、前記保持固定部の他面側に可撓線状部材を収納可能な凹部を形成する固定アーム部と、前記保持固定部にヒンジ結合された可動側の基端部および雌雄いずれか他方のロック爪が設けられた可動側の先端部を有し、該可動側の先端部を前記固定側の先端部に係止させたとき前記凹部を閉止する開閉動作可能な可動アーム部と、を備え、前記固定側の先端部および前記可動側の先端部が、前記可動アーム部の開動作方向に突き当たる前記雌雄のロック爪同士の係合面と前記可動アーム部の閉動作方向に突き当たる突当て面とを有し、前記可動側の先端部を前記固定側の先端部に係止させたときに両先端部が前記可動アーム部の開閉動作方向の双方に突き当たる状態に係合することを特徴とする。
【０００９】
この構成により、本発明では、バンド部材による電線の結束に伴って保持固定部がその一面側でワイヤハーネスに支持されると、固定アーム部によって可撓線状部材を収納可能な凹部がワイヤハーネスの近傍に形成される。そして、その凹部内に可撓線状部材の被保持部が収納され、可動アーム部が閉動作されて凹部が閉止されると、固定側の先端部と可動側の先端部とが可動アーム部の開閉動作方向の双方に突き当たる状態に係合する。したがって、可撓線状部材をワイヤハーネスに容易にかつ確実に外付け保持できる保持力や作業性に優れた線状部材の外付保持具となる。
【００１０】
本発明の線状部材の外付保持具において、前記可動側の先端部は、前記保持固定部の他面に対し略垂直な方向であって前記可動アーム部により前記凹部を閉止して形成される線状部材収納孔の径方向における外方側から前記固定側の先端部に凹凸嵌合するとともに、前記固定側の先端部に対して前記可動アーム部の開閉動作方向の双方に突き当たる状態に保持される構成とすることができる。
【００１１】
また、前記固定アーム部および前記可動アーム部のうち少なくとも前記固定アーム部が、前記保持固定部の他面と一体に略コの字形の屈曲面を形成するとともに、該屈曲面を含む前記凹部の内奥側に前記保持固定部の他面に対し略垂直な方向に対向する複数の略三角リブを有している構成とすることもできる。
【００１２】
なお、前記雌雄のロック爪同士の係合面は、前記凹部の深さ方向における前記保持固定部の中央付近に位置し、前記固定側の先端部および前記可動側の先端部が前記可動アーム部の閉動作方向に突き当たる突当て面は、前記凹部の深さ方向で前記保持固定部の一端側に近い前記凹部の開口端近傍に位置しているとよい。
【発明の効果】
【００１３】
本発明によれば、可撓線状部材をワイヤハーネスに容易にかつ確実に外付け保持できる保持力や作業性に優れた線状部材の外付保持具を提供することができる。
【図面の簡単な説明】
【００１４】
【図１】本発明の一実施の形態に係る線状部材の外付保持具およびそれを装着したバンドクリップの斜視図である。
【図２】本発明の一実施の形態に係る線状部材の外付保持具を可撓線状部材に実装したロック状態の説明図である。
【図３】本発明の一実施の形態に係る線状部材の外付保持具に可撓線状部材に保持させる際の開放状態の説明図である。
【図４】本発明の一実施の形態に係る線状部材の開放状態の斜視図である。
【図５】本発明の一実施の形態に係る線状部材の実装状態の要部斜視図である。
【図６】従来例の線状部材の外付保持具およびそれを装着したバンドクリップの斜視図である。
【発明を実施するための形態】
【００１５】
以下、本発明を実施するための形態について図面を参照して説明する。
【００１６】
図１ないし図５は、本発明の一実施の形態に係る線状部材の外付保持具を示している。本実施形態は、本発明を車載用のワイヤハーネスに外付けされる可撓線状部材の外付保持具に適用したものである。
【００１７】
図１ないし図３に示すワイヤハーネスは１０は、複数本の被覆電線を含んで構成された電線束１１と、それら電線群１１に巻き付けられたバンドクリップ１２とを備えている。
【００１８】
電線束１１は、例えば複数の被覆電線を含んでおり、コルゲートチューブ等の外装材、または、絶縁テープやシート状の外装材が装着されたものである。
【００１９】
バンドクリップ１２は、ワイヤハーネス１０の電線群１１に巻き付けられたバンド状結束部材２１と、車体パネル１５（固定対象物）の開口内周縁部１５ａに固定可能なアンカークリップ形状を有するパネル固定部材２２とを一体に有している。これらバンド状結束部材２１およびパネル固定部材２２は、例えばポリプロピレンやナイロン等の樹脂で形成されており、所定の部位に弾性や可撓性を有している。
【００２０】
また、ワイヤハーネスは１０には、その電線束１１に沿うように可撓線状部材４０が外付けされており、可撓線状部材４０は、互いにワイヤハーネスは１０の長さ方向に離間する複数の固定箇所で、外付保持具１３およびバンドクリップ１２を介してワイヤハーネス１０に支持されている。
【００２１】
可撓線状部材４０は、例えば同軸ケーブルで構成されており、図外の車載アンテナと車載ラジオ等の受信装置あるいは送信が可能な通信装置との間で高周波電力を伝送するフィーダ線として機能するようになっている。ただし、この可撓線状部材４０は、ウォッシャ液等の液体を給送する可撓チューブでもよいし、可撓チューブ内に電線を収納した細径のワイヤハーネスでもよい。
【００２２】
外付保持具１３は、保持固定部３１と、この保持固定部３１に一体に支持された固定アーム部３２と、保持固定部にヒンジ結合された可動アーム部３３とを有している。
【００２３】
図２および図３に示すように、保持固定部３１には、バンドクリップ１２のバンド状結束部材２１（バンド部材）が挿通されるバンド挿通孔３１ｈが形成されており、保持固定部３１は、バンド状結束部材２１による電線束１１の結束時に、ワイヤハーネス１０により図２中の下面３１ａ（一面）側から支持されるようになっている。
【００２４】
固定アーム部３２は、保持固定部３１に一体に支持された固定側の基端部３２ａおよび雌雄いずれか一方のロック爪３６が設けられた固定側の先端部３２ｂを有し、保持固定部３１の図２中の上面３１ｂ側（他面側）に可撓線状部材４０を収納可能な凹部３８を形成している。図２中では、可撓線状部材４０の内部構造の図示を省略し断面としている。
【００２５】
可動アーム部３３は、保持固定部３１にヒンジ結合された可動側の基端部３３ａおよび雌雄いずれか他方のロック爪３７が設けられた可動側の先端部３３ｂを有している。
【００２６】
この可動アーム部３３は、可動側の先端部３３ｂを固定側の先端部３２ｂから離隔させるときに凹部３８を可撓線状部材４０を導入可能な状態に開放する一方、可動側の先端部３３ｂを固定側の先端部３２ｂに係止させたときに凹部３８を閉止するように、開閉動作可能である。凹部３８を閉止するとは、凹部３８内に収納した可撓線状部材４０を可動アーム部３３によって凹部３８内に拘束することであり、可撓線状部材４０を保持固定可能にすることである。
【００２７】
ここで、固定側の先端部３２ｂと可動側の先端部３３ｂとは、固定アーム部３２に対する可動アーム部３３の開動作方向（両アーム部３２、３３が先端側で開く方向）に突き当たる雌雄のロック爪３６、３７同士のロック係合面ｅ１（係合面）を有している。
【００２８】
また、固定側の先端部３２ｂおよび可動側の先端部３３ｂは、ロック係合面ｅ１とは別に、固定アーム部３２に対する可動アーム部３３の閉動作方向（両アーム部３２、３３が先端側で閉じる方向）に突き当たる突当て面ｅ２を併有している。
【００２９】
図２に示すように、ロック係合面ｅ１と突当て面ｅ２とは略平行であり、可動側の先端部３３ｂを固定側の先端部３２ｂに係止させたとき、固定側の先端部３２ｂと可動側の先端部３３ｂとが、可動アーム部３３の開閉動作方向、すなわち、前述の開動作方向および閉動作方向の双方に突き当たる状態に係合するようになっている。
【００３０】
また、可動側の先端部３３ｂは、保持固定部３１の上面３１ｂに対し略垂直な図２中の上下方向であって可動アーム部３３により凹部３８を閉止して形成される線状部材収納孔３９の径方向における外方側から、固定側の先端部３２ｂに凹凸嵌合する。すなわち、可動側の先端部３３ｂは、凹部３８を間に挟んで保持固定部３１の上面３１ｂに接近および離間するよう、固定側の先端部３２ｂに凹凸嵌合する。そして、これにより、可動側の先端部３３ｂは、固定側の先端部３２ｂに対して可動アーム部３３の開閉動作方向の双方に突き当たる状態に係合しながら保持されるようになっている。
【００３１】
さらに、固定アーム部３２および可動アーム部３３のうち少なくとも固定アーム部３２は、保持固定部３１の上面３１ｂと一体に略コの字形の屈曲面３２ｃを形成するとともに、その屈曲面３２ｃを含む凹部３８の内奥側に保持固定部３１の上面３１ｂに対し略垂直な同図中の上下方向に対向する複数の略三角リブ３２ｄ、３２ｅを有している。
【００３２】
本実施形態では、可動アーム部３３にも、ヒンジ結合部である可動側の基端部３３ａの近傍にも、可動アーム部３３の閉止時に保持固定部３１の上面３１ｂに当接可能な略三角リブ３３ｄが設けられている。
【００３３】
ところで、雌雄のロック爪３６、３７同士の係合面ｅ１は、凹部３８の深さ方向（図２中の右向き方向）における保持固定部３１の中央付近に位置し、固定側の先端部３２ｂと可動側の先端部３３ｂとが可動アーム部３３の閉動作方向に突き当たる突当て面ｅ２は、凹部３８の深さ方向で保持固定部３１の一端３１ｄ側に近い凹部３８の開口端３８ａの近傍に位置している。
【００３４】
また、雌雄のロック爪３６、３７同士の係合面ｅ１は、突当て面ｅ２に対して凹部３８の深さ方向のみならず、保持固定部３１の上面３１ｂに対し略垂直な図２中の上下方向のうち下方側（可動アーム部３３のヒンジ側）にもわずかにずれており、可動側の先端部３３ｂに対し雌雄のロック爪３６、３７が外れる方向（ロック解除方向）の外力が作用するとき、可動側の先端部３３ｂが突当て面ｅ２で固定側の先端部３２ｂに突き当たることで、雌雄のロック爪３６、３７の外れが制限されるようになっている。
【００３５】
より具体的には、図３および図４に示すように、固定側の先端部３２ｂには、凹部３８の開口端３８ａから凹部３８の内奥側になるほど外方側（図２中の上方側）に位置するように傾斜したガイド面３２ｇが形成された雄側のロック爪３６（雌雄いずれか一方のロック爪）が外方側に突出するように設けられている。
【００３６】
一方、図２および図５に示すように、可動側の先端部３３ｂには、固定側の先端部３２ｂへの突当てが可能な段付き部３３ｅと、この段付き部３３ｅと共にロック爪３６を収納可能な凹状をなす雌側のロック爪３７が設けられており、この雌側のロック爪３７の先端側には、可動アーム部３３の閉動作時にロック爪３６のガイド面３２ｇに係合するガイド面３３ｇが形成されている。そして、可動側の先端部３３ｂは、全体としてロックの容易さとロック解除のし難さを両立させるように力の伝達方向や大きさを変化させるベルクランク状をなしている。
【００３７】
この雌側のロック爪３７のガイド面３３ｇは、雄側のロック爪３６のガイド面３２ｇより図２中で反時計回り方向への傾斜がきつい（傾斜角が大きい）傾斜面となっており、可動アーム部３３の閉動作時に、その先端のガイド面３３ｇが雄側のロック爪３６の先端に確実に係合可能で、かつ、雌雄のロック爪３６、３７がロック状態に係止される操作位置が明確化されるとともに、外れ難い形状となっている。
【００３８】
次に、作用について説明する。
【００３９】
上述のように構成された本実施形態においては、バンドクリップ１２のバンド状結束部材２１が、予め外付保持具１３の保持固定部３１のバンド挿通孔３１ｈに挿通され、その挿通後のバンドクリップ１２のバンド状結束部材２１によって電線束１１が結束される。そして、その結束に伴って、外付保持具１３の保持固定部３１がその下面３１ａ側でワイヤハーネス１０に支持される。
【００４０】
この状態においては、可動アーム部３３の閉動作前であっても、固定アーム部３２によって可撓線状部材４０を収納可能な凹部３８がワイヤハーネス１０の近傍の所定位置に形成されることになる。そして、その凹部３８内に可撓線状部材４０の被保持部４１が収納される。
【００４１】
次いで、可動アーム部３３が図３中に実線で示す開放位置から同図中に点線３３ｉで示す回動位置へ、更に図２に閉止位置側へと閉動作するよう操作されると、同図中に二点鎖線３３ｊで示すように雌側のロック爪３７の傾斜したガイド面３３ｇが雄側のロック爪３６のガイド面３２ｇに乗り上げる。
【００４２】
次いで、可動アーム部３３が更に閉止位置側に操作されると、例えば可撓線状部材４０によって下方から支承され得る固定アーム部３２の固定側の先端部３２ｂに対して、可動アーム部３３が、その可動側の先端部３３ｂを上方側に変位させるとように撓められる。
【００４３】
次いで、可動アーム部３３が雌雄のロック爪３６、３７をロック状態に係止させる操作位置に達すると、その時点で可動アーム部３３が可動側の先端部３３ｂを下方側に変位させるように復帰する。
【００４４】
このとき、固定側の先端部３２ｂと可動側の先端部３３ｂとが、係合面ｅ１で雌雄のロック爪３６、３７同士を開動作方向に突き当てつつ、突当て面ｅ２では閉動作方向に突き当たり、可動アーム部３３の開閉動作方向の双方に突き当たる状態に係合する。
【００４５】
この状態においては、前述のように、可動側の先端部３３ｂに対して雌雄のロック爪３６、３７が外れる方向の外力が作用しても、可動側の先端部３３ｂが突当て面ｅ２で固定側の先端部３２ｂに突き当たることで、雌雄のロック爪３６、３７の外れが制限される。
【００４６】
したがって、可動アーム部３３を閉動作させて雌雄のロック爪３６、３７をスナップロック式のロック状態に係止させるだけで、可撓線状部材４０を外付保持具１３に確実に保持できることになり、この外付保持具１３およびバンドクリップ１２を介して可撓線状部材４０をワイヤハーネス１０に確実に支持させることができる。
【００４７】
このように、本実施形態の線状部材の外付保持具１３は、可撓線状部材４０をワイヤハーネス１０に容易にかつ確実に外付け保持できる保持力や作業性に優れたものとなる。
【００４８】
また、本実施形態では、可動側の先端部３３が、雄側のロック爪３６に圧接するロック爪３７が上方側に変位するように撓められた後、その撓み状態から復帰しながら、線状部材収納孔３９の径方向における外方側から固定側の先端部３２ｂに凹凸嵌合することで、固定側の先端部３２ｂに対し可動アーム部３３の開閉動作方向の双方に突き当たる状態に保持される。したがって、雌雄のロック爪３６、３７が外れ難く、かつ、雌雄のロック爪３６、３７のロック操作における操作フィーリングも良好となる。特に、可撓線状部材４０が同軸ケーブルで構成されるフィーダ線等で、凹部３８の内幅に近い外径を有する場合、可動側の先端部３３ｂが固定側の先端部３２ｂから更に外れ難くなる。
【００４９】
本実施形態では、また、固定アーム部３２および可動アーム部３３のうち少なくとも固定アーム部３２が、略コの字形の屈曲面３２ｃを形成するとともに、その屈曲面３２ｃを含む凹部３８の内奥側に複数の略三角リブ３２ｄ、３２ｅを有しているので、固定アーム部３２の剛性を高めるとともに、凹部３８内における可撓線状部材４０の長さ方向の保持幅を最適設定でき、的確な固定が可能となる。
【００５０】
加えて、本実施形態では、雌雄のロック爪３６、３７同士の係合面ｅ１が、凹部３８の深さ方向における保持固定部３１の中央付近に位置し、固定側の先端部３２ｂと可動側の先端部３３ｂとの閉動作方向の突当て面ｅ２が保持固定部３１の一端３１ｄ側に近い凹部３８の開口端３８ａの近傍に位置しているので、ワイヤハーネス１０に対して可撓線状部材４０を変位させる外力が作用するとき、その外力に対する雌雄のロック爪３６、３７同士の係合が強化され、その点でも、外れ難くなる。
【００５１】
なお、上述の一実施の形態においては、保持固定部３１を角筒状にしていたが、本発明は、前掲の特許文献１に記載のような形態で、バンド部材に係合するものにも適用することができる。また、外付保持具１３の固定アーム部３２および可動アーム部３３によって円形横断面の可撓線状部材４０を外付け保持する線状部材収納孔３９を形成したが、その孔形状が楕円形や多角形等の非円形であってもよいことはいうまでもない。さらに、本発明にいうバンド部材は、バンドクリップ等のバンド部に限定されず、ワイヤハーネスに外装される任意の外装材に付設されるバンド部材であってもよい。
【００５２】
以上説明したように、本発明は、可撓線状部材をワイヤハーネスに容易にかつ確実に外付け保持できる保持力や作業性に優れた線状部材の外付保持具を提供することができるものであり、バンド部材を介してワイヤハーネスに支持され、ワイヤハーネスに沿って配置される可撓線状部材をワイヤハーネスに対し外付け状態に保持する線状部材の外付保持具全般に有用である。
【符号の説明】
【００５３】
１０  ワイヤハーネス
１１  電線群（電線）
１２  バンドクリップ
１３  外付保持具
２１  バンド状結束部材（バンド部材）
２２  パネル固定部材（アンカークリップ）
３１  保持固定部
３１ａ  下面（一面）
３１ｂ  上面（他面）
３１ｈ  バンド挿通孔
３２  固定アーム部
３２ａ  固定側の基端部
３２ｂ  固定側の先端部
３２ｃ  屈曲面
３２ｄ、３２ｅ、３３ｄ  略三角リブ
３２ｇ、３３ｇ  ガイド面
３３  可動アーム部
３３ａ  可動側の基端部
３３ｂ  可動側の先端部
３３ｅ  段付き部
３６  雄側のロック爪（雌雄いずれか一方側のロック爪）
３７  雌側のロック爪（雌雄いずれか他方側のロック爪）
３８  凹部
３８ａ  開口端
３９  線状部材収納孔
４０  可撓線状部材
４１  被保持部
ｅ１  ロック係合面（係合面）
ｅ２  突当て面
【図１】
2017147859.tif 000003
【図２】
2017147859.tif 000004
【図３】
2017147859.tif 000005
【図４】
2017147859.tif 000006
【図５】
2017147859.tif 000007
【図６】
2017147859.tif 000008